(57)【要約】      （修正有）【課題】地震時における躯体間に生じる変形を吸収して歩行者や車の安全な通行が確保できるエキスパンションジョイントを提供する。【解決手段】間隙を介して隣接する躯体２と躯体を接合するエキスパンションジョイント１で、躯体間に架設されるエキスパンションジョイント床３の端部にゴム系材料または樹脂系材料からなる伸縮可能な弾性体４を配置するものにおいて、躯体にはエキスパンションジョイント床を架設するための凹部５を設け、弾性体を配置したエキスパンションジョイント床を弾性体が傾斜部７と当接するよう架設してなり、弾性体が躯体の床面８と面一となる頂部９、傾斜部に沿って斜め上方および斜め下方に移動可能な移動部１３およびエキスパンションジョイント床本体１０への取り付け部を各辺とする略逆三角形状で、弾性体の頂部から末尾部へ延びる収縮可能な中空部１２も略逆三角形状である。【選択図】図１
2018009347.tif 000002
【特許請求の範囲】
【請求項１】
間隙を介して隣接する躯体と躯体を接合するエキスパンションジョイントであり、躯体間に架設されるエキスパンションジョイント床の端部にゴム系材料または樹脂系材料からなる収縮可能な弾性体を配置するものにおいて、躯体にはエキスパンションジョイント床を架設するための凹部を設け、凹部にはエキスパンションジョイント床本体を載置するための水平部と水平部から立ち上がりエキスパンションジョイント床の端部に配置される弾性体と当接するための傾斜部を設けて、凹部に端部に弾性体を配置したエキスパンションジョイント床を弾性体が傾斜部と当接するよう架設してなり、弾性体を取り付け金物を介してエキスパンションジョイント床本体に取り付けるとともに、弾性体の末尾部を取り付け金物で挟持することにより弾性体をエキスパンションジョイント床本体に固定し、弾性体は躯体の床面と面一となる頂部、傾斜部に沿って斜め上方および斜め下方に移動可能な移動部およびエキスパンションジョイント床本体への取り付け部をそなえ、弾性体の頂部から末尾部へ延びる収縮可能な中空部を有する中空形状であり、躯体間の揺れによる変形を弾性体の移動部と取り付け部が近接するよう弾性体の中空部が横方向に収縮することにより吸収してエキスパンションジョイント床が床面上に突出するのを防ぎ、躯体間の揺れが大きくエキスパンションジョイント床が床面上に突出しても逆方向への揺れによって弾性体の末尾部が凹部に引き込まれ、中空部が横方向に収縮しながら弾性体が傾斜部に沿って斜め下方に移動してエキスパンションジョイント床が凹部に引き戻され、最終的にエキスパンションジョイント床が床面上に突出した状態となりエキスパンションジョイント床と床面間に段差が生じても弾性体の存在により歩行者や車の安全な通行が確保されるとともに、歩行者に怪我をさせることがない安全性が確保されるよう構成したことを特徴とするエキスパンションジョイント。
【請求項２】
前記弾性体が、頂部、移動部および取り付け部を各辺とし、末尾部を頂点とする略逆三角形状に形成され、頂部から末尾部へ延びる前記中空部も略逆三角形の形状をそなえていることを特徴とする請求項１に記載のエキスパンションジョイント。
【請求項３】
前記弾性体の移動部に突起を形成し、弾性体が凹部の傾斜部に沿って斜め上方に移動し弾性体が上方へ跳ね上がるのを抑制するよう構成したことを特徴とする請求項１または２に記載のエキスパンションジョイント。
【請求項４】
前記弾性体の頂部に滑り止め用の突条を形成したことを特徴とする請求項１〜３のいずれかに記載のエキスパンションジョイント。
【発明の詳細な説明】
【技術分野】
【０００１】
本発明は、隣接する躯体間の間隙に架け渡して両躯体を接合し、地震、温度変化による伸縮、地盤沈下などで生じる外力を吸収し、両躯体の損壊を最小限に抑えるためのエキスパンションジョイント、特に、歩行者用や車路として用いられる免震エキスパンションジョイントとして有効なエキスパンションジョイントに関する。
【背景技術】
【０００２】
免震建物においては、建物が地震時に大変形が生じることに対する建築的な対応が最重要課題で、建物外部から免震建物への人や車の出入りに利用される動線上において、免震エキスパンションジョイントは建物へのアプローチとして一番重要な部分であり、躯体間の相互移動に対応できる免震エキスパンションジョイントが必要となる。
【０００３】
最近の建造物においては、建物の高層化や免震構造の採用に伴い従来よりも免震建造物と非免震建造物との躯体間の間隙は拡がる傾向にあるが、間隙が拡がるとエキスパンションジョイントは大型で幅広となり、躯体間の間隙で大きな可動範囲を有する構造のものが必要となってきている。
【０００４】
しかしながら、従来のエキスパンションジョイント構造においては、躯体間に架け渡されるエキスパンションジョイント床が地震時の揺れによって床面から上部に跳ね上がり突出して、地震の揺れが続いている場合に歩行者や避難者に怪我をさせてしまったり、また、地震による揺れがおさまった場合においても、エキスパンションジョイント床が、床面から上部に跳ね上がった状態で停止して、床面上に突出したままとなって、歩行者や車の通行に支障をきたすという構造上の大きな問題点があった。
【０００５】
このような問題点を解決するために、エキスパンションジョイント床の端部にゴム系材料からなる弾性体を配置して、地震による躯体の揺れを弾性体の収縮により吸収してエキスパンションジョイント床が地震時の揺れによって床面から上部に跳ね上がって突出するのを防ぎ、揺れが大きく躯体間の変形が大きくなって、エキスパンションジョイント床が床面から上部に跳ね上がり突出した場合であっても、躯体間の間隙をカバーでき、歩行者や避難者に怪我をさせることがなく歩行者や車の通行に支障をきたすこともないようにした構造のエキスパンションジョイントが提案されている。
【先行技術文献】
【特許文献】
【０００６】
【特許文献１】特開２０１３−３６２４８号公報
【特許文献２】特開２０１３−４０４４０号公報
【発明の概要】
【発明が解決しようとする課題】
【０００７】
本発明は、上記提案のエキスパンションジョイントにおいて、エキスパンションジョイント床の端部に配置する弾性体の構造や弾性体の装着手法などについてさらに試験、検討を行った結果としてなされたものであり、その目的は、上記提案のエキスパンションジョイントをさらに改良し、地震時における躯体間に生じる変形を吸収してエキスパンションジョイント床が床面上に突出せず、地震時の揺れが大きく躯体間の変形が大きくなってエキスパンションジョイント床が床面上に突出しても逆方向の揺れによって弾性体とともにエキスパンションジョイント床が元の位置に引き戻されることを可能とし、最終的にエキスパンションジョイント床が床面上に突出した状態となりエキスパンションジョイント床と床面間に段差が生じても段差部分を弾性体が確実にカバーして歩行者や車の安全な通行が確保でき、歩行者や避難者に怪我をさせることがない安全なエキスパンションジョイントを提供することにある。
【課題を解決するための手段】
【０００８】
上記の目的を達成するための請求項１によるエキスパンションジョイントは、間隙を介して隣接する躯体と躯体を接合するエキスパンションジョイントであ  り、躯体間に架設されるエキスパンションジョイント床の端部にゴム系材料または樹脂系材料からなる収縮可能な弾性体を配置するものにおいて、躯体にはエキスパンションジョイント床を架設するための凹部を設け、凹部にはエキスパンションジョイント床本体を載置するための水平部と水平部から立ち上がりエキスパンションジョイント床の端部に配置される弾性体と当接するための傾斜部を設けて、凹部に端部に弾性体を配置したエキスパンションジョイント床を弾性体が傾斜部と当接するよう架設してなり、弾性体を取り付け金物を介してエキスパンションジョイント床本体に取り付けるとともに、弾性体の末尾部を取り付け金物で挟持することにより弾性体をエキスパンションジョイント床本体に固定し、弾性体は躯体の床面と面一となる頂部、傾斜部に沿って斜め上方および斜め下方に移動可能な移動部およびエキスパンションジョイント床本体への取り付け部をそなえ、弾性体の頂部から末尾部へ延びる収縮可能な中空部を有する中空形状であり、躯体間の揺れによる変形を弾性体の移動部と取り付け部が近接するよう弾性体の中空部が横方向に収縮することにより吸収してエキスパンションジョイント床が床面上に突出するのを防ぎ、躯体間の揺れが大きくエキスパンションジョイント床が床面上に突出しても逆方向への揺れによって弾性体が末尾部から凹部に引き込まれ、中空部が横方向に収縮しながら弾性体が傾斜部に沿って斜め下方に移動してエキスパンションジョイント床が凹部に引き戻され、最終的にエキスパンションジョイント床が床面上に突出した状態となりエキスパンションジョイント床と床面間に段差が生じても弾性体の存在により歩行者や車の安全な通行が確保されるとともに、歩行者に怪我をさせることがない安全性が確保されるよう構成したことを特徴とする。
【０００９】
請求項２によるエキスパンションジョイントは、請求項１において、前記弾性体が、頂部、移動部および取り付け部を各辺とし、末尾部を頂点とする略逆三角形状に形成され、頂部から末尾部へ延びる中空部も略逆三角形の形状をそなえていることを特徴とする。
【００１０】
請求項３によるエキスパンションジョイントは、請求項１または２において、前記弾性体の移動部に突起を形成し、弾性体が凹部の傾斜部に沿って斜め上方に移動し上方へ跳ね上がるのを抑制するよう構成したことを特徴とする。
【００１１】
請求項４によるエキスパンションジョイントは、請求項１〜３のいずれかにおいて、前記弾性体の頂部に滑り止め用の突条を形成したことを特徴とする。
【発明の効果】
【００１２】
本発明のエキスパンションジョイントによれば、地震時において躯体間に生じる変形を吸収してエキスパンションジョイント床が床面上に乗り上げたり突出したりすることを防止することが可能となる。
【００１３】
地震時の揺れが大きく躯体間の変形が大きくなってエキスパンションジョイント床が床面上に突出しても逆方向の揺れによって弾性体とともにエキスパンションジョイント床が元の位置に引き戻されることを可能とする。
【００１４】
最終的にエキスパンションジョイント床が床面上に突出した状態となりエキスパンションジョイント床と床面間に段差が生じても、段差部分を弾性体が確実にカバーして歩行者や車の安全な通行が確保でき、歩行者や避難者に怪我をさせることがない安全なエキスパンションジョイントが提供される。
【図面の簡単な説明】
【００１５】
【図１】間隙を介して隣接する躯体と躯体を接合する本発明のエキスパンションジョイントの要部を示す一部斜視断面図であり、一方の躯体への装着形態のみを示し、他方の躯体、躯体間の間隙は省略して示すものである。
【図２】エキスパンションジョイント床とくにエキスパンションジョイント床の端面に配置された弾性体が地震の揺れによる躯体間の変形によって収縮変形して移動する形態を示す要部断面図であり、（Ａ）は当初の設置形態、 （Ｂ）はＡ方向への揺れにより弾性体４が収縮変形した形態、（Ｃ）は弾性体４が傾斜部７に沿って斜め上方に移動した形態を示す。
【図３】図２と同様、エキスパンションジョイント床とくにエキスパンションジョイント床の端面に配置された弾性体が地震の揺れによる躯体間の変形によって収縮変形して移動する形態を示す要部断面図であり、（Ｄ）は図２（Ｃ）に示す形態より弾性体４がさらに斜め上方に移動して床面上に突出した形態、（Ｅ）は弾性体４が完全に床面上に突出しＢ方向への逆方向の揺れが発生しようとする形態、（Ｆ）はＢ方向への揺れによって弾性体４が末尾部１５から凹部５に引き込まれている形態を示す。
【発明を実施するための形態】
【００１６】
以下、図面により本発明に係るエキスパンションジョイントについて説明する。本発明に係るエキスパンションジョイントは、図１に示すように、間隙を介して隣接する躯体２と躯体２を接合するエキスパンションジョイント１で、躯体２、２間に架設されるエキスパンションジョイント床３の端部にゴム系材料または樹脂系材料からなる伸縮可能な弾性体４を配置するものを前提とする。
【００１７】
図１においては、一方の躯体２へのエキスパンションジョイントの装着形態のみを示し、他方の躯体、躯体間の間隙は省略して示すものであるが、他方の躯体に対しても同様の装着形態を採ることができる。また、他方の躯体に対しては、エキスパンションジョイント床を丁番などにより回動可能に装着する方式を採ることもできる。
【００１８】
本発明のエキスパンションジョイントの構成は、図１に示すように、躯体２にエキスパンションジョイント床３を架設するための凹部５を設け、凹部５にはエキスパンションジョイント床本体１０を載置するための水平部６と水平部６から立ち上がりエキスパンションジョイント床３の端部に配置される弾性体４と当接するための傾斜部７を設けて、凹部５に、端部に弾性体４を配置したエキスパンションジョイント床３を弾性体４が傾斜部７と当接するよう架設してなる。
【００１９】
凹部５の水平部６と傾斜部７は、凹部５に例えばステンレス鋼板などの金属板１６を敷設することにより形成され、エキスパンションジョイント床本体１０は、例えば、底面と側面をステンレス鋼板などの金属板１７で形成し、モルタルを充填して表面を塩化ビニール板などで形成する。エキスパンションジョイント床本体１０の表面は躯体２の床面８と面一に形成されている。
【００２０】
エキスパンションジョイント床３の端面に、例えばアルミニウム合金の押出形材からなる取り付け金物１１を介して弾性体４を取り付ける。弾性体４の末尾部１５は取り付け金物１１の折り曲げ部１８で挟持され、弾性体４はエキスパンションジョイント床本体１０に固定される。弾性体４を取り付け金物１１に横から挿入し易くするために、弾性体４のエキスパンションジョイント床本体１０への取り付け部１４および対応する取り付け金物１１の双方の当接面には山型溝２０が設けられる。２２は取り付け金物１１をエキスパンションジョイント床本体１０に固着するためのビスである。
【００２１】
弾性体４は躯体２の床面８と面一となる頂部９、凹部５の傾斜部７に沿って斜め上方および斜め下方に移動可能な移動部１３およびエキスパンションジョイント床本体１０への取り付け部１４をそなえ、弾性体４の頂部９から末尾部１５へ延びる収縮可能な中空部１２を有する中空形状のものである。
【００２２】
弾性体４は、通行荷重に耐え、地震発生時の揺れで床面８の上方に突出した場合、通行人に怪我をさせないようにするために、通行人の足が突き当たる方向への圧縮性を考慮し、ゴム系材料または樹脂系材料で構成され、より圧縮変形し易く、安全性も考慮して中空形状のものを選択する。ゴム系材料が好ましく、とくにエチレンプロピレンゴム（ＥＰＤＭ）またはクロロプレンゴム（ＣＲ）が耐候性、耐オゾン性などの点で好ましい。
【００２３】
本発明のエキスパンションジョイントは、弾性体４が、頂部９、移動部１３および取り付け部１４を各辺とし、末尾部１５を頂点とする略逆三角形状に形成され、頂部９から末尾部１５へ延びる収縮可能な中空部１２も略逆三角形の形状をそなえていることを最も特徴とするものである。
【００２４】
上記の特徴をそなえることにより、躯体２、２間の揺れによる変形を弾性体４の移動部１３と取り付け部１４が近接するよう弾性体４の中空部１２が横方向に収縮することにより吸収してエキスパンションジョイント床３が床面８上に突出するのを防ぐことができる。このために、弾性体４の移動部１３に突起、好ましくは図１に示すように、三角ひれ状突起１９を形成し、弾性体４が凹部５の傾斜部７に沿って斜め上方に移動し弾性体４の先端が上方へ跳ね上がるのを抑制するようにするのが望ましい。
【００２５】
また、躯体２、２間の揺れが大きくエキスパンションジョイント床３が床面８上に突出しても逆方向への揺れによって弾性体４が末尾部１５から凹部５に引き込まれ、中空部１２が横方向に収縮しながら弾性体４が傾斜部７に沿って斜め下方に移動してエキスパンションジョイント床３が凹部５に引き戻されることが可能となる。
【００２６】
最終的にエキスパンションジョイント床３が床面８上に突出した状態となって、エキスパンションジョイント床３と床面８間に段差が生じても弾性体４の存在により歩行者や車の安全な通行が確保されるとともに、歩行者に怪我をさせることがない安全性が確保されることができる。歩行者の歩き易さを考慮して、弾性体４の頂部９に滑り止め用の突条、好ましくは図１に示すように、Ｕ字状の溝を有する突条２１を形成する。
【００２７】
以下、本発明のエキスパンションジョイントにおける上記の作用、効果を図２および図３に基づいて説明する。図２および図３は、エキスパンションジョイント床３とくにエキスパンションジョイント床３の端面に配置された弾性体４が地震の揺れによる躯体２間の変形によって収縮変形して移動する形態を示す要部断面図であり、図２（Ａ）は当初の設置形態を示すものである。
【００２８】
地震によりＡ方向への揺れが発生すると、図２（Ｂ）に示すように、弾性体４の移動部１３と取り付け部１４が近接するよう弾性体４の中空部１２が横方向に収縮変形し、揺れによる躯体２間の変形を吸収してエキスパンションジョイント床３が跳ね上がり床面８上に突出するのを防ぐ。
【００２９】
Ａ方向への揺れが大きくなると、図２（Ｃ）、図３（Ｄ）、図３（Ｅ）に示すように、弾性体４の移動部１３が凹部５の傾斜部７に沿って次第に斜め上方に移動し、エキスパンションジョイント床３を凹部５から上方に移動させて、図３（Ｅ）に示すように床面８上に突出し、収縮変形していた弾性体４の中空部１２が元の形状に復元するが、逆方向（Ｂ方向）への揺れによってエキスパンションジョイント床３は凹部５に引き戻されることが可能となる。
【００３０】
すなわち、逆方向（Ｂ方向）への揺れが発生すると、図３（Ｆ）に示すように、まず、弾性体４の末尾部１５が凹部５に引き込まれ、中空部１２が横方向に収縮しながら弾性体４の移動部１３が傾斜部７に沿って斜め下方に移動してエキスパンションジョイント床３を凹部５に引き戻す。
【００３１】
弾性体４が略逆三角形状に形成され、頂部９から末尾部１５へ延びる中空部１２も略逆三角形の形状をそなえているため、頂点の末尾部１５は中空部１２が横方向に収縮しながら凹部５に引き込まれ易く、この動きを起点として弾性体４の移動部１３が傾斜部７に沿って斜め下方に移動してエキスパンションジョイント床３を凹部５に引き戻される
【００３２】
さらに逆方向（Ｂ方向）への揺れが続けば、エキスパンションジョイント床３は図２（Ａ）に示す当初の状態に復帰できるが、最終的にエキスパンションジョイント床３が床面８上に突出した状態となって、エキスパンションジョイント床３と床面８間に段差が生じても弾性体４の存在により歩行者や車の安全な通行が確保されるとともに、歩行者に怪我をさせることがない安全性を確保することもできる。
【００３３】
また、地震によりエキスパンションジョイント床３が床面８上に突出した状態となっても、地震発生中または余震が発生した場合に、避難者が突出した弾性体４に足をぶつけても弾性体４は突き当り方向に圧縮変形し易いから避難者に怪我をさせることがなく、エキスパンションジョイント床３と床面８間に段差が生じても弾性体４の存在により歩行者や車の安全な通行が確保され、歩行者や車の通行にとっては障害となることはない。
【００３４】
なお、地震後の復旧が長期間を要する場合には、床面上に突出したエキスパンションジョイント床３端部の弾性体を例えばより平坦な通行路が形成されるように整形したり、凹部５に架設されたエキスパンションジョイント床３がずれて、凹部５の傾斜部７と弾性体４の間に間隙が生じてしまった場合には、間隙を金属板で塞ぐなどの措置を行うことが必要となる。
【符号の説明】
【００３５】
１  エキスパンションジョイント
２  躯体
３  エキスパンションジョイント床
４  弾性体
５  凹部
６  凹部の水平部
７  凹部の傾斜部
８  躯体の床面
９  弾性体の頂部
１０  エキスパンションジョイント床本体
１１  取り付け金物
１２  弾性体の中空部
１３  弾性体の移動部
１４  弾性体の取り付け部
１５  弾性体の末尾部
１６  金属板
１７  金属板
１８  取り付け金物の折り曲げ部
１９  弾性体の移動部に形成される突起
２０  取り付け金物と弾性体の取り付け部の当接面に形成される山型溝
２１  弾性体の頂部に形成される突条
２２  取り付け金物をエキスパンションジョイント床本体に固着するビス
【図１】
2018009347.tif 000003
【図２】
2018009347.tif 000004
【図３】
2018009347.tif 000005
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
間隙を介して隣接する躯体と躯体を接合するエキスパンションジョイントであり、躯体間に架設されるエキスパンションジョイント床の端部にゴム系材料または樹脂系材料からなる収縮可能な弾性体を配置するものにおいて、躯体にはエキスパンションジョイント床を架設するための凹部を設け、凹部にはエキスパンションジョイント床本体を載置するための水平部と水平部から立ち上がりエキスパンションジョイント床の端部に配置される弾性体と当接するための傾斜部を設けて、凹部に端部に弾性体を配置したエキスパンションジョイント床を弾性体が傾斜部と当接するよう架設してなり、弾性体を取り付け金物を介してエキスパンションジョイント床本体に取り付けるとともに、弾性体の末尾部を取り付け金物で挟持することにより弾性体をエキスパンションジョイント床本体に固定し、弾性体は躯体の床面と面一となる頂部、傾斜部に沿って斜め上方および斜め下方に移動可能な移動部およびエキスパンションジョイント床本体への取り付け部をそなえ、頂部、移動部および取り付け部を各辺とし、末尾部を頂点とする略逆三角形状に形成され、弾性体の頂部から末尾部へ延びる収縮可能な中空部を有する中空形状で、前記中空部も略逆三角形の形状をそなえており、躯体間の揺れによる変形を弾性体の移動部と取り付け部が近接するよう弾性体の中空部が横方向に収縮することにより吸収してエキスパンションジョイント床が床面上に突出するのを防ぎ、躯体間の揺れが大きくエキスパンションジョイント床が床面上に突出しても逆方向への揺れによって弾性体の末尾部が凹部に引き込まれ、中空部が横方向に収縮しながら弾性体が傾斜部に沿って斜め下方に移動してエキスパンションジョイント床が凹部に引き戻され、エキスパンションジョイント床が床面上に突出したままとなりエキスパンションジョイント床と床面間に段差が生じても弾性体の存在により歩行者や車の安全な通行が確保されるとともに、歩行者に怪我をさせることがない安全性が確保されるよう構成したことを特徴とするエキスパンションジョイント。
【請求項２】
前記弾性体の移動部に突起を形成し、弾性体が凹部の傾斜部に沿って斜め上方に移動し弾性体が上方へ跳ね上がるのを抑制するよう構成したことを特徴とする請求項１に記載のエキスパンションジョイント。
【請求項３】
前記弾性体の頂部に滑り止め用の突条を形成したことを特徴とする請求項１または２に記載のエキスパンションジョイント。
【手続補正２】
【補正対象書類名】明細書
【補正対象項目名】０００８
【補正方法】変更
【補正の内容】
【０００８】
上記の目的を達成するための請求項１によるエキスパンションジョイントは、間隙を介して隣接する躯体と躯体を接合するエキスパンションジョイントであり、躯体間に架設されるエキスパンションジョイント床の端部にゴム系材料または樹脂系材料からなる収縮可能な弾性体を配置するものにおいて、躯体にはエキスパンションジョイント床を架設するための凹部を設け、凹部にはエキスパンションジョイント床本体を載置するための水平部と水平部から立ち上がりエキスパンションジョイント床の端部に配置される弾性体と当接するための傾斜部を設けて、凹部に端部に弾性体を配置したエキスパンションジョイント床を弾性体が傾斜部と当接するよう架設してなり、弾性体を取り付け金物を介してエキスパンションジョイント床本体に取り付けるとともに、弾性体の末尾部を取り付け金物で挟持することにより弾性体をエキスパンションジョイント床本体に固定し、弾性体は躯体の床面と面一となる頂部、傾斜部に沿って斜め上方および斜め下方に移動可能な移動部およびエキスパンションジョイント床本体への取り付け部をそなえ、頂部、移動部および取り付け部を各辺とし、末尾部を頂点とする略逆三角形状に形成され、弾性体の頂部から末尾部へ延びる収縮可能な中空部を有する中空形状で、前記中空部も略逆三角形の形状をそなえており、躯体間の揺れによる変形を弾性体の移動部と取り付け部が近接するよう弾性体の中空部が横方向に収縮することにより吸収してエキスパンションジョイント床が床面上に突出するのを防ぎ、躯体間の揺れが大きくエキスパンションジョイント床が床面上に突出しても逆方向への揺れによって弾性体の末尾部が凹部に引き込まれ、中空部が横方向に収縮しながら弾性体が傾斜部に沿って斜め下方に移動してエキスパンションジョイント床が凹部に引き戻され、エキスパンションジョイント床が床面上に突出したままとなりエキスパンションジョイント床と床面間に段差が生じても弾性体の存在により歩行者や車の安全な通行が確保されるとともに、歩行者に怪我をさせることがない安全性が確保されるよう構成したことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２によるエキスパンションジョイントは、請求項１において、前記弾性体の移動部に突起を形成し、弾性体が凹部の傾斜部に沿って斜め上方に移動し弾性体が上方へ跳ね上がるのを抑制するよう構成したことを特徴とする。
【手続補正５】
【補正対象書類名】明細書
【補正対象項目名】００１１
【補正方法】変更
【補正の内容】
【００１１】
請求項３によるエキスパンションジョイントは、請求項１または２において、前記弾性体の頂部に滑り止め用の突条を形成したことを特徴とする。
【手続補正６】
【補正対象書類名】明細書
【補正対象項目名】００１４
【補正方法】変更
【補正の内容】
【００１４】
エキスパンションジョイント床が床面上に突出したままとなりエキスパンションジョイント床と床面間に段差が生じても、段差部分を弾性体が確実にカバーして歩行者や車の安全な通行が確保でき、歩行者や避難者に怪我をさせることがない安全なエキスパンションジョイントが提供される。
【手続補正７】
【補正対象書類名】明細書
【補正対象項目名】００２６
【補正方法】変更
【補正の内容】
【００２６】
エキスパンションジョイント床３が床面８上に突出したままとなって、エキスパンションジョイント床３と床面８間に段差が生じても弾性体４の存在により歩行者や車の安全な通行が確保されるとともに、歩行者に怪我をさせることがない安全性が確保されることができる。歩行者の歩き易さを考慮して、弾性体４の頂部９に滑り止め用の突条、好ましくは図１に示すように、Ｕ字状の溝を有する突条２１を形成する。
【手続補正８】
【補正対象書類名】明細書
【補正対象項目名】００３２
【補正方法】変更
【補正の内容】
【００３２】
さらに逆方向（Ｂ方向）への揺れが続けば、エキスパンションジョイント床３は図２（Ａ）に示す当初の状態に復帰できるが、エキスパンションジョイント床３が床面８上に突出したままとなって、エキスパンションジョイント床３と床面８間に段差が生じても弾性体４の存在により歩行者や車の安全な通行が確保されるとともに、歩行者に怪我をさせることがない安全性を確保することもできる。